(57)【要約】【課題】  プリント注文の際の枚数指定の煩雑さを軽減することが可能なデジタルカメラを提供する。【解決手段】  デジタルカメラ１００の制御部３は、記録媒体６に記録されている撮影画像データを、撮影環境毎に少なくとも１つの撮影画像データ群に分類し、その撮影画像データ群の中から選択された撮影画像データ群に含まれる撮影画像データの各々について、当該撮影画像データに基づく画像に映っている人の数を示す人数情報を、当該撮影画像データに基づいて生成し、その人数情報を利用してプリント注文情報を生成して記録媒体６に記録する。【選択図】  図１
2005027233.tif 000002
【特許請求の範囲】
【請求項１】
記録媒体に記録されている撮影画像データのプリント注文情報を前記記録媒体に記録するデジタルカメラであって、
前記撮影画像データを、撮影環境毎に少なくとも１つの撮影画像データ群に分類する分類手段と、
前記撮影画像データ群の中から選択された撮影画像データ群に含まれる撮影画像データの各々について、当該撮影画像データに基づく画像に映っている人の数を示す人数情報を、当該撮影画像データに基づいて生成する人数情報生成手段と、
前記人数情報を利用して前記プリント注文情報を生成し、前記記録媒体に記録する注文情報生成記録手段とを備えるデジタルカメラ。
【請求項２】
請求項１記載のデジタルカメラであって、
前記プリント注文情報を、前記人数情報に基づいて分類するプリント注文情報分類手段を備えるデジタルカメラ。
【請求項３】
請求項１又は２記載のデジタルカメラであって、
前記人数情報生成手段は、前記撮影画像データから顔領域を抽出し、抽出した顔領域の数に基づいて前記人数情報を生成するものであるデジタルカメラ。
【請求項４】
請求項１又は２記載のデジタルカメラであって、
前記人数情報生成手段は、前記撮影画像データのタグ情報を利用して前記人数情報を生成するものであるデジタルカメラ。
【請求項５】
記録媒体に記録されている撮影画像データのプリント注文情報を前記記録媒体に記録するデジタルカメラであって、
前記プリント注文情報が記録されている撮影画像データに基づく画像のみを表示装置に表示させる表示制御を行う制御手段を備えるデジタルカメラ。
【請求項６】
記録媒体に記録されている撮影画像データのプリント注文情報を前記記録媒体に記録する処理をコンピュータに実行させるための注文情報記録プログラムであって、
前記撮影画像データを、撮影環境毎に少なくとも１つの撮影画像データ群に分類するステップと、
前記撮影画像データ群の中から選択された撮影画像データ群に含まれる撮影画像データの各々について、当該撮影画像データに基づく画像に映っている人の数を示す人数情報を、当該撮影画像データに基づいて生成するステップと、
前記人数情報を利用して前記プリント注文情報を生成するステップと、
前記プリント注文情報を前記記録媒体に記録するステップとを備える注文情報記録プログラム。
【請求項７】
請求項６記載の注文情報記録プログラムであって、
前記人数情報に基づいて、前記プリント注文情報を分類するステップを備える注文情報記録プログラム。
【請求項８】
請求項６又は７記載の注文情報記録プログラムであって、
前記選択された撮影画像データ群に含まれる撮影画像データから顔領域を抽出するステップと、
前記抽出した顔領域の数に基づいて前記人数情報を生成するステップとを備える注文情報記録プログラム。
【請求項９】
請求項６又は７記載の注文情報記録プログラムであって、
前記選択された撮影画像データ群に含まれる撮影画像データのタグ情報を利用して前記人数情報を生成するステップを備える注文情報記録プログラム。
【請求項１０】
撮影画像データが記録されている記録媒体から、前記記録媒体にプリント注文情報が対応付けて記録されている撮影画像データを検索するステップと、
前記検索した撮影画像データを読み出すステップと、
前記読み出した撮影画像データに基づく画像を表示装置に表示させるステップとを備える表示プログラム。
【請求項１１】
撮影画像データが記録されている可搬型記録媒体から、前記撮影画像データを読み出すステップと、
前記読み出した撮影画像データを内部記録媒体に記録するステップと、
前記内部記録媒体に記録した撮影画像データから、プリント注文情報が対応付けて記録されている撮影画像データを検索するステップと、
前記検索した撮影画像データを表示装置に表示させるステップとを備える表示プログラム。
【発明の詳細な説明】
【技術分野】
【０００１】
本発明は、記録媒体に記録されている撮影画像データのプリント注文情報を前記記録媒体に記録するデジタルカメラに関する。
【背景技術】
【０００２】
近年、デジタルカメラで撮影した画像データを、インターネットなどの通信手段で送信したり、またはメモリカードなどの記録媒体に記録して持ち込んだりして、市中の現像所で高品質なプリントを行う需要が増加している。そのような状況に対応して、プリントの依頼を容易にするための統一フォーマットなどが提案されている。例えば、ＤＰＯＦ（Digital Print Order Format）では、記録媒体に記録された画像の中で、どのカットを何枚プリントするかが規定されている。ＤＰＯＦに対応するデジタルカメラで撮影を行うと、必要なカットや必要枚数などの情報を画像データとともに記録できるため、例えば撮影後に記録媒体を直接現像所に持ち込むだけでプリントの依頼が容易に行える。
【０００３】
ＤＰＯＦに関連する技術として特許文献１記載のものがある。
【０００４】
【特許文献１】特開２００２−４４５７７号公報
【発明の開示】
【発明が解決しようとする課題】
【０００５】
しかしながら、上記のようなＤＰＯＦなどのフォーマットを利用する場合、撮影後に、操作者がプリント枚数を手動で設定しなければならず、この作業が煩雑である。具体的には、画像を個別に確認して、撮影された画像の中に含まれる被写体の人数を確認する作業が必要である。
【０００６】
また、上記のように手動でプリント枚数を設定した後、プリント枚数を設定した画像を確認する場合、操作者は、記録媒体に記録されている画像を全て表示させながら、プリント枚数を設定した画像を確認していかなければならず、プリント枚数を設定した画像の確認作業が面倒である。
【０００７】
本発明は上記事情に鑑みてなされたものであり、プリント注文の際の枚数指定の煩雑さを軽減することが可能なデジタルカメラを提供することを目的とする。
【０００８】
また、本発明は、プリント枚数を指定した画像の確認を容易に行うことが可能なデジタルカメラを提供することを目的とする。
【課題を解決するための手段】
【０００９】
本発明のデジタルカメラは、記録媒体に記録されている撮影画像データのプリント注文情報を前記記録媒体に記録するデジタルカメラであって、前記撮影画像データを、撮影環境毎に少なくとも１つの撮影画像データ群に分類する分類手段と、前記撮影画像データ群の中から選択された撮影画像データ群に含まれる撮影画像データの各々について、当該撮影画像データに基づく画像に映っている人の数を示す人数情報を、当該撮影画像データに基づいて生成する人数情報生成手段と、前記人数情報を利用して前記プリント注文情報を生成し、前記記録媒体に記録する注文情報生成記録手段とを備える。
【００１０】
この構成により、撮影画像データに基づいて人数情報が生成され、人数情報を利用して生成されたプリント注文情報が記録媒体に記録されるため、プリント注文の設定が簡略化される。特に、プリント注文の際の枚数指定の煩雑さを軽減することができる。又、撮影環境毎に分類された撮影画像データ群毎の撮影画像データについて、プリント注文情報が記録媒体に記録されるため、必要な撮影画像データにだけプリント注文の際の枚数指定を行うことができ、利便性が向上する。
【００１１】
本発明のデジタルカメラは、記録媒体に記録されている撮影画像データのプリント注文情報を前記記録媒体に記録するデジタルカメラであって、前記プリント注文情報が記録されている撮影画像データに基づく画像のみを表示装置に表示させる表示制御を行う制御手段を備える。
【００１２】
この構成により、プリント注文情報が記録されている撮影画像データに基づく画像のみを表示装置に表示することができるため、プリント枚数を指定した画像の確認を容易に行うことができる。
【発明の効果】
【００１３】
本発明によれば、プリント注文の際の枚数指定の煩雑さを軽減することが可能なデジタルカメラを提供することができる。
【発明を実施するための最良の形態】
【００１４】
図１は、本発明の実施形態を説明するためのデジタルカメラの概略構成を示す図である。デジタルカメラ１００はＤＰＯＦに対応したものであり、撮像部１、信号処理部２、制御部３、ＲＡＭ４、ＲＯＭ５、記録媒体６、表示部７、及び操作部８を備える。
【００１５】
撮像部１は、撮像レンズ、絞り機構及びオートフォーカス機構等を備えた光学系と、ＣＣＤ等の固体撮像素子からなり、光学系を介してＣＣＤに結像された被写体像を電気信号に変換する。
【００１６】
信号処理部２は、ＣＣＤの出力信号をデジタル画像信号に変換するＡ／Ｄコンバータ、デジタル画像信号から輝度・色差信号を生成する色分離回路、明るさ補正、ホワイトバランス補正、ガンマ補正、シャープネス補正、コントラスト補正等の補正処理回路を有し、画像信号の処理を実行する。
【００１７】
ＲＡＭ４は揮発性メモリからなり、信号処理部２において取得した画像信号の一時記憶領域として利用される。ＲＯＭ５は不揮発性メモリからなり、撮像処理等を制御するプログラム等が格納される。
【００１８】
記録媒体６は、デジタルカメラ１００本体に着脱可能な、例えば、スマートメディア（登録商標）やコンパクトフラッシュ（登録商標）、ＳＤメモリカード（登録商標）等のリムーバブルメディア（可搬型記録媒体）であり、タグ情報を持つ撮影画像データが記憶される。タグ情報には、コマ番号、露出値、シャッタースピード、圧縮率、撮影日、撮影時のフラッシュのオン／オフのデータ、及びシーン情報等の撮影情報が含まれる。
【００１９】
尚、記録媒体６は、上記のようなものに限らず、ＤＶＤ−ＲＡＭ、ＤＶＤ−ＲＷ、ＣＤ−ＲＷ等の光記録媒体、フロッピーディスク等の磁気記録媒体、ＭＯ等の光磁気記録媒体等も用いることができる。また、リムーバブルメディアに限らず、デジタルカメラ１００本体に内蔵されたフラッシュメモリ等からなる内部メモリであってもよい。
【００２０】
制御部３は、ＲＡＭ４及びＲＯＭ５を含んでマイクロプロセッサを構成し、ＲＯＭ５に格納されている所定のプログラムを実行することにより、信号処理部２で得られた画像信号についてＪＰＥＧ圧縮・伸張処理を行うと共に、圧縮処理して得られた撮影画像データの記録媒体６への記録や、記録媒体６に記録された撮影画像データの表示部７への再生等を制御する。
【００２１】
また、制御部３は、上記制御に加え以下の４つの処理を行う。
画像分類処理：記録媒体６に記録されている撮影画像データを、その撮影環境毎に少なくとも１つの撮影画像データ群に分類する処理
人数情報生成処理：上記撮影画像データ群の中から選択された撮影画像データ群に含まれる撮影画像データの各々について、撮影画像データに基づく画像に映っている人の数を示す人数情報を、その撮影画像データに基づいて生成する処理
注文情報生成記録処理：上記人数情報を利用して、各撮影画像データのプリント注文情報を生成し、プリント注文情報を記録媒体６に記録する処理
プリント注文情報分類処理：上記生成したプリント注文情報を、上記生成した人数情報に基づいて分類する処理
【００２２】
プリント注文情報とは、撮影画像データのプリント注文枚数、プリント注文種類、及びその撮影画像データのパス等を示す情報である。
【００２３】
画像分類処理では、例えば、記録媒体６に記録されている撮影画像データの再生指示が行われ、ＤＰＯＦ設定の指示が行われた場合、ＲＡＭ４に撮影画像データを読み込み、読み込んだ撮影画像データのタグ情報に含まれる撮影日時情報に基づいて撮影画像データを日付毎に分類し、少なくとも１つの撮影画像データ群を生成する。尚、この分類は、１日単位で分類しても良いし、期間単位で分類しても良い。また、ここで行う分類は日付毎に限らない。例えば、タグ情報にＧＰＳ情報等が記録されている場合には、撮影位置毎に分類を行っても良い。
【００２４】
人数情報生成処理では、例えば、上記撮影画像データ群の中からユーザにより選択された撮影画像データ群に含まれる撮影画像データの各々について、撮影画像データから顔領域を抽出し、抽出した顔領域の数に基づいて上記人数情報を生成する処理を行う。顔領域の抽出方法は、公知の技術（特開平９−１０１５７９号公報や特開２０００−４８１８４号公報等）を用いることができる。
【００２５】
尚、記録媒体６に記録されている撮影画像データのタグ情報に、被写体に含まれる人の数を示す被写体人数情報が予め記録されている場合、人数情報生成処理では、タグ情報に含まれる被写体人数情報を、そのまま上記人数情報とする。被写体人数情報は、被写体の撮影時にユーザによって入力される。入力方法としては、音声入力やキー操作による入力等があげられる。このように、撮影画像データのタグ情報を利用して人数情報を生成することも可能である。
【００２６】
プリント注文情報分類処理では、上記のように撮影画像データ毎に生成した複数のプリント注文情報（プリント注文枚数、プリント注文種類、及び撮影画像データのパスの情報等）を、そのプリント注文枚数を求めるのに利用した人数情報に基づいて分類する。尚、この分類は、記録媒体６にプリント注文情報を一旦記録した後に行っても良いし、記録前に行っても良い。
【００２７】
表示部７は、液晶ディスプレイ（ＬＣＤ）等の表示装置であり、撮影時に、撮影情報やスルー画像を表示したり、記録媒体６に記録された画像データを再生して表示したりする。
【００２８】
操作部８は、電源スイッチ、モード切換スイッチ、機能選択ボタン、方向キー、及びシャッタボタン等を備えてなるデジタルカメラ１００の操作入力手段であり、これらのキーが操作されることによる状態信号が制御部３に送られ、デジタルカメラ１００の各機能が実行される。
【００２９】
次に、本発明の実施形態を説明するためのデジタルカメラの動作について説明する。
図２は、本発明の実施形態を説明するためのデジタルカメラの動作フローを示す図である。
ユーザにより画像再生モードが設定され、更にＤＰＯＦ設定モードが設定されると（Ｓ１０１）、制御部３は、記録媒体６に記録されている撮影画像データを読み出し、それらを日付毎（例えば、１月１日、３月１日、４月１日の３種類とする）に分類する（Ｓ１０２）。
【００３０】
ユーザにより３月１日の撮影画像データ群が選択され、ＤＰＯＦの自動設定指示がなされると（Ｓ１０３）、制御部３は、３月１日の撮影画像データ群に含まれる撮影画像データをＲＡＭ４上で展開し、各撮影画像データについて人数情報を生成し（Ｓ１０４）、例えば、人数情報＝１（画像に映っている人の数が１人）の撮影画像データは、プリント注文情報のプリント注文枚数を１とし、人数情報＝２の撮影画像データは、プリント注文情報のプリント注文枚数を２とするといった具合にプリント注文情報を生成する。
尚、人数情報＝０（風景のみ）の撮影画像データについては、プリント注文枚数を１とする。また、このプリント注文枚数は、人数情報の数値と同じにする必要はなく、例えば、“人数情報＋１”や“人数情報×２”をプリント注文枚数とするように、任意に設定しても良い。制御部３は、３月１日の撮影画像データ群に含まれる撮影画像データのプリント注文情報を、人数情報に基づいて分類し（Ｓ１０５）、プリント注文情報を図３に示すようなディレクトリ構成で記録媒体６に記録する（Ｓ１０６）。
【００３１】
図３は、記録媒体６に記録されるデータのディレクトリ構成を示す図である。
同図に示すように、記録媒体６には、画像データフォルダ３１とＤＰＯＦフォルダ３２とが制御部３により作成される。ＤＰＯＦフォルダ３２は、画像データフォルダ３１に記録されている撮影画像データのプリント注文情報を記録するものである。
【００３２】
画像データフォルダ３１には、撮影画像データが記録される。ＤＰＯＦフォルダ３２には、日付フォルダ３２１が作成され、各日付フォルダ３２１には、人数情報に基づいてプリント注文枚数フォルダ３２２が作成される。プリント注文枚数フォルダ３２２には、画像データフォルダ３１に記録されている撮影画像データ毎のプリント注文情報が記録される。
【００３３】
制御部３は、プリント注文情報分類処理を終えた後、注文情報生成記録処理において図３のような日付フォルダ３２１及びプリント注文フォルダ３２２を記録媒体６上に作成し、例えば、人数情報＝１であった撮影画像データは、プリント注文枚数も１であるため１枚プリント用フォルダに、人数情報＝２であった撮影画像データはプリント注文枚数も２であるため２枚プリント用フォルダにといった具合で、プリント注文情報を記録していく。尚、人数情報＝０の画像データのプリント注文情報は、１枚用フォルダに記録する。
【００３４】
その後、ユーザは、ＤＰＯＦ設定の確認等を経て、ＤＰＯＦ設定モードを終了する。
【００３５】
以上のように本実施形態によれば、記録媒体６に記録されている撮影画像データに基づいて、その撮影画像データのプリント注文情報を自動的に生成し、記録媒体６に記録するため、ユーザは、記録媒体６に記録した撮影画像データの１つ１つを確認しながらプリント注文情報の設定を行う必要がなく、プリント注文にかかる手間を大幅に減らすことができる。
【００３６】
また、プリント注文情報は、撮影画像データ群毎に生成されるため、必要な撮影画像データにだけプリント注文の際の枚数指定を行うことができ、利便性を向上させることができる。
【００３７】
また、記録媒体６に記録されるＤＰＯＦフォルダ内のプリント注文情報は、撮影日時によって分類され、更にプリント注文枚数によっても分類される。このため、ユーザが、ＤＰＯＦ設定の内容を後から確認する際でも、撮影日時毎、プリント注文枚数毎に確認が可能となり、利便性を向上させることができる。
【００３８】
（第二実施形態）
本発明の第二実施形態を説明するためのデジタルカメラは、図１のデジタルカメラ１００の制御部３に新たな機能を追加したのみであるため、図１を援用して説明する。
【００３９】
図２のフローに示す流れでユーザによりＤＰＯＦ設定が完了された後、ユーザが、ＤＰＯＦ設定をした画像を確認する場合、制御部３は、記録媒体６に記録された撮影画像データの中から、プリント注文情報が対応付けて記録されている撮影画像データを検索し、検索した撮影画像データのみをＲＡＭ４に読み出し、読み出した画像データに基づく画像を表示部７に表示させる。この場合、制御部３は、上記のように記録媒体６を外部メモリとして利用しても良いし、記録媒体６に記録されているデータを一旦全て読み出してＲＡＭ４に記録し、それからＲＡＭ４に記録した撮影画像データに対して上記検索を行っても良い。
【００４０】
以上のように本実施形態によれば、ＤＰＯＦ設定した撮影画像データを確認する際、記録媒体６に記録されている全ての撮影画像データに基づく画像が表示部７に表示されることはなく、ＤＰＯＦ設定した撮影画像データに基づく画像のみが表示されるため、ＤＰＯＦ設定した画像の確認が容易になる。
【００４１】
以上説明した実施形態では、デジタルカメラを例に説明したが、コンピュータにより実行可能なアプリケーションソフトウェアを用いてプリント注文情報の記録処理やＤＰＯＦ設定された画像の表示処理を行ってもよい。また、プリント注文の際のプリント枚数設定に限らず、プリンタ出力の際の出力枚数設定を行うようにしてもよい。
【図面の簡単な説明】
【００４２】
【図１】本発明の実施形態を説明するためのデジタルカメラの概略構成を示す図
【図２】本発明の実施形態を説明するためのデジタルカメラの動作フローを示す図
【図３】記録媒体に記録されるデータのディレクトリ構成を示す図
【符号の説明】
【００４３】
１  撮像部
２  信号処理部
３  制御部
４  ＲＡＭ
５  ＲＯＭ
６  記録媒体
７  表示部
８  操作部
１００  デジタルカメラ
【図１】
2005027233.tif 000003
【図２】
2005027233.tif 000004
【図３】
2005027233.tif 000005